(57)【特許請求の範囲】
【請求項１】
ベース部と、このベース部の左右に設けられ上側へ折り畳み可能な物干部と、ベース部の上方に配置され上下動可能なフック部と、前記ベース部に一端が固定され他端が前記物干部に固定される紐部材と、この紐部材の途中を係止するため前記フック部の左右に設けられる係止部と、を有することを特徴とする物干しハンガー。
【請求項２】
前記フック部は、ガイド棒の先端に設けられ、このガイド棒は、前記ベース部に形成されたガイド筒にガイドされることで、直線的な上下動が可能なことを特徴とする請求項１に記載の物干しハンガー。
【発明の詳細な説明】
【技術分野】
【０００１】
この発明は、洗濯物などを干す物干しハンガーの構造に関する。
【背景技術】
【０００２】
洗濯物などを干すハンガーは、物干竿などに引っ掛けるためのフック部に吊下げられる左右の物干部を有するものがある。このうち下記特許文献１は、左右の物干部が上側へ、いわば逆ハの字状に折り畳まれる構造を有する。下記特許文献２は、左右の物干部が下側へ、いわばハの字状に折り畳まれる構造を有する。下記特許文献３は、物干部は水平状態に固定されたままで折り畳まれないが、フック部がガイド棒の先端に設けられ、ガイドされて上下動する。
【先行技術文献】
【特許文献】
【０００３】
【特許文献１】実公平０７−０２７０３３
【特許文献２】実登３０１６７０３
【特許文献３】特開２００２−２１０２９２
【発明の概要】
【発明が解決しようとする課題】
【０００４】
しかしながら、上記特許文献１は、左右の物干部が上側へ折り畳まれる構造を有するので、これら物干部が、フック部を引っ掛ける干竿などに干渉し、うまく畳めない。これに対して上記特許文献２は、下側へ折り畳まれる構造を有するので、干竿などに干渉することはないが、畳んだ状態で左右の洗濯物などの干し物同士が中央へ集まって重なり合う。よって、急な雨降りなどで、洗濯物が生乾きの状態で、畳んで取り込むと、その畳んだまま、しばらく室内に干して置く必要がある場合に、重なり合った洗濯物が乾きにくい、という欠点がある。
【０００５】
なお、上記特許文献３は、フック部がガイド棒の先端に設けられガイドされて上下動するものの、物干部は折り畳まれないので、本発明の課題とは直接には関係しない。
この発明は、以上の問題を解決するためになされたもので、折り畳まれても、左右の干し物同士が中央へ集まって重なり合うことがなく、左右の物干部が、フック部を引っ掛ける干竿など干渉せずに済む物干しハンガーを提供することを目的とする。
【課題を解決するための手段】
【０００６】
以上の課題を解決するために、第一発明は、ベース部と、このベース部の左右に設けられ上側へ折り畳み可能な物干部と、ベース部の上方に配置され上下動可能なフック部と、前記ベース部に一端が固定され他端が前記物干部の先部に固定される紐部材と、この紐部材の途中を係止するため前記フック部の左右に設けられる係止部と、を有することを特徴とする物干しハンガーである。
【０００７】
第二発明は、更に、前記フック部は、ガイド棒の先端に設けられ、このガイド棒は、前記ベース部に形成されたガイド筒にガイドされることで、直線的な上下動が可能なことを特徴とする物干しハンガーである。
【発明の効果】
【０００８】
第一、又は第二発明によれば、左右の物干部が上側へ折り畳まれることで、左右の干し物同士が中央へ集まって重なり合うことがない。そして、折り畳まれた状態では、フック部は相対的に上へ移動するので、フック部を引っ掛ける干竿などと、左右の畳んだ物干部が、干渉せずに済み、うまく畳むことができる。
【０００９】
第二発明によれば、更に、フック部は直線的な上下動が可能であり、折り畳み動作を安定させることができる。
【図面の簡単な説明】
【００１０】
【図１】（Ａ）は、この発明の一実施形態を示す斜視図、（Ｂ）は、（Ａ）の動作を示す線図である。
【図２】この発明の他の実施形態を示す斜視図である。
【発明を実施するための形態】
【００１１】
この発明の一実施形態に係る物干しハンガーを、図１に示す。
［全体概略］
物干しハンガー１の中央に位置するベース部３の左右に設けられた物干部５が、上側へ折り畳み可能である。ベース部３の上方に配置されたフック部７が、ガイド棒９によって直線的に上下動可能である。紐部材１１は、ベース部３に一端が固定され、他端が物干部５に固定される。この紐部材１１の途中を、フック部７の左右に設けられる係止部１３が係止する。
【００１２】
［ベース部３］
ベース部３は、下向きのコの字形状を有する。このコの字の両端二つの縦辺１５は、下端に、それぞれ、左右二つの回動軸１７を有し、物干部５を回動可能に支持し、物干部５の折り畳みを可能にする。また、二つの回動軸１７の下方には、水平な受け部１９が設けられ、開いた物干部５を受けて、水平状態に維持する。コの字の中央の水平辺２１には、ガイド棒９をガイドするガイド筒２３が設けられる。ガイド筒２３の周囲には、紐部材１１が固定される固定部２５である、半円状のリングが設けられる。
【００１３】
［物干部５］
物干部５は、左右に二つが設けられる。それぞれ概略四角形の形状をなし、外側のコの字状の枠部２７は、そのコの字の端部が、回動軸１７に支持される。この枠部２７に対して、コの字の中央の辺に平行な平行部２９が複数設けられる。このようにして、二つの物干部５が開いた状態では、梯子状の形状をなし、下部には、多数の洗濯ばさみ３１が取付けられ、洗濯物などの干し物を吊下げることができる。物干部５の先部、すなわちコの字の両端二つの縦辺３３の基部には、紐部材１１が固定される固定部２５である、半円状のリングが設けられる。
【００１４】
［フック部７］
フック部７は、円柱状のガイド棒９の先端に一体的に設けられる。このガイド棒９は、ベース部３に形成されたガイド筒２３にガイドされる。よって、フック部７は、ガイド棒９の長手方向へ直線的な上下動が可能になる。
【００１５】
［紐部材１１］
紐部材１１は、４本が設けられる。摩擦、繰り返し使用、紫外線に強い繊維の材質が選ばれる。
［係止部１３］
係止部１３は、フック部７の根本の軸周りに回動自在に設けられたリング部１２に対して、図中の左右に２対、合計４つが設けられる。係止部１３は、小さなフック状の突起である。
【００１６】
「実施形態の作用効果」
折り畳みの動作は以下のように行なわれる。
すなわち、フック部７を一方の手で持ち、他方の手で物干部５の回動軸１７に近い部分を下方へ押すと、物干部５やベース部３に対して、相対的にフック部７が上へ移動する（図１（Ａ）中の一点鎖線）。図１（Ｂ）の線図の各点を表す符号は、その符号が付された部材を表す。フック部７が上方へＬだけ移動すると、紐部材１１の斜めに延びた部分の長さはＬだけ短くなり、この紐部材１１によって、左右の物干部５が引き寄せられ、回動軸１７の働きで、円弧状の軌跡を描いて、上側へ折り畳まれる。
【００１７】
上側へ折り畳まれることで、左右の洗濯物同士が中央へ集まって重なり合うことがない。同時に、折り畳まれた状態では、前述したようにフック部７は、物干部５等に対して相対的に上へ移動する。フック部７は上へ移動するので、物干部５が大きく長いものであっても、フック部７を引っ掛ける干竿３５などと、左右の畳んだ物干部５が、干渉せずに済み、うまく畳むことができる。また、折畳んだままの状態を維持したり、その状態で持ち運びができる。
更に、紐部材１１と係止部１３との摩擦により、物干部５は０度（折畳まれた状態）〜９０度（水平に開いた状態）の間で思いの角度で固定し、その状態を維持できるので、フック部７を中心として物干部５の左右前後周囲の空間の幅が自由に設定でき、干すための空間や幅に合わせて角度を調整して干せる。
【００１８】
また、フック部７はガイド棒９の働きで、直線的な上下動が可能であり、折り畳み動作を安定させることができる。また、フック部７は、ガイド棒９を介して、ベース部３や物干部５と一体的に扱うことができ、全体を横にして、洗濯物を取り込むことが容易になる。
また、係止部１３は、フック部７の根本の軸周りに回動自在に設けられたリング部１２に対して設けられるので、風で洗濯物が揺れ、物干部５が水平面内で回転しても、追従して、係止部１３も回転し、よって紐部材１１も回転するので、紐部材１１が互いに絡むことがない。
【００１９】
「他の実施形態」
以上の実施形態では、紐部材１１は、繊維で編まれた紐であったが、他の実施形態では、紐によらず、紐と同じ働きをするものであれば、他のものでも構わない。例えば、ワイヤーやチェーンを樹脂製チューブでコーティングしたものでもよい。  
以上の実施形態では、物干部５は、概略四角形の形状をなすものであったが、他の実施形態では、他の形状でも構わない。例えば、半円形をなし、二つを広げたときに円形になるものでもよい。
【００２０】
以上の実施形態では、ガイド棒９は円柱状であったが、他の実施形態では、ガイド棒９は円形以外の断面を有する友情のものであっても構わない。
以上の実施形態では、フック部７はガイド棒９の働きで直線的な上下動が可能なものであったが、他の実施形態では、例えば図２に示すように、フック部７はガイド棒９を有さず、紐部材１１によってのみ、他のベース部３や物干部５と連結されるものでもよい。この場合でも、フック部７は直線的ではないものの、上下動は可能であり、本発明の効果を奏すことができる。
以上の実施形態では、物干部５の上面の先部に、紐部材１１が固定される固定部２５が設けられるものであったが、他の実施形態では、先部に限らず、係止部１３の直下でなければ、物干部５の上面のほとんど、どの部分でも固定部２５を設け、発明を機能させることができる。
【符号の説明】
【００２１】
１…ハンガー、３…ベース部、５…物干部、７…フック部、９…ガイド棒、１１…紐部材、１２・・リング部、１３…係止部、１５…縦辺、１７…回動軸、１９…受け部、２１…水平辺、２３…ガイド筒、２５…固定部、２７…枠部、２９…平行部、３１…洗濯ばさみ、
３３・・縦辺、３５・・干竿。
【要約】
【課題】左右の物干部が、折り畳まれても、左右の干し物同士が中央へ集まって重なり合うことがなく、左右の物干部が、フック部を引っ掛ける干竿など干渉せずに済む物干しハンガーを提供する。
【解決手段】ベース部３の左右に設けられた物干部５が上側へ折り畳み可能であり、ベース部３の上方に配置されたフック部７が上下動可能であり、紐部材１１が、ベース部３に一端が固定され他端が物干部５の先部に固定され、この紐部材１１の途中を、フック部７の左右に設けられる係止部１３が係止する。このようにして、左右の物干部５が上側へ折り畳まれることで、左右の干し物同士が中央へ集まって重なり合うことがないのみならず、折り畳まれた状態では、フック部７は上へ移動するので、フック部７を引っ掛ける干竿などと、左右の畳んだ物干部５が、干渉せずに済み、うまく畳むことができる。
【選択図】図１【図１】
0004782898.tif 000002
【図２】
0004782898.tif 000003